(57)【要約】【課題】同期プロセスに必要とされる時間の短縮や、精度を改善する。【解決手段】移動局が、基地局ＩＤの同定処理を開始する前に、基地局から利用されるシステム帯域を示す情報を取得し、上記同定処理では、同期用チャネル帯域については、同期信号を位相基準として候補となるスクランブリングコードとパイロット信号とのコヒーレント積分により相互相関値を求め、一方、同期用チャネル帯域以外のシステム帯域については、周波数方向のサブキャリア間の位相差を用いて、スクランブリングコードとパイロット信号とのノンコヒーレント積分により相互相関値を求める。そして、これらの相互相関値をマージして、最大の相互相関値が得られるスクランブリングコードを検出して、基地局ＩＤを特定するようにしたものである。【選択図】      図５
2008236382.tif 000002
【特許請求の範囲】
【請求項１】
送信装置からOFDM方式を用いて無線伝送される情報を受信する受信装置において、
前記送信装置から無線伝送に用いられる第１周波数帯域を示すシステム情報を受信する受信手段と、
前記システム情報で示される第１周波数帯域のうち、予め設定された第２周波数帯域のサブキャリアに割り当てられたパイロット信号について、このサブキャリアに割り当てられた同期信号を用いたコヒーレント検波を行う第１検波手段と、
前記システム情報で示される第１周波数帯域のうち、前記第２周波数帯域以外の周波数帯域のサブキャリアに割り当てられたパイロット信号について、ノンコヒーレント検波を行う第２検波手段と、
前記第１検波手段の検波結果と、前記第２検波手段の検波結果とに基づいて、受信対象となる送信装置を決定する同定手段とを具備することを特徴とする受信装置。
【請求項２】
前記第２検波手段は、前記システム情報で示される第１周波数帯域のうち、前記第２周波数帯域以外の周波数帯域で同じタイミングのサブキャリアに割り当てられた複数のパイロット信号間のベクトル差を用いてノンコヒーレント検波を行うことを特徴とする請求項１に記載の受信装置。
【請求項３】
前記第２検波手段は、前記システム情報で示される第１周波数帯域のうち、前記第２周波数帯域以外の周波数帯域で同じタイミングのサブキャリアに割り当てられた複数のパイロット信号をグループ化し、グループ毎にパイロット信号をコヒーレント加算し、この加算結果を用いてノンコヒーレント検波を行うことを特徴とする請求項１に記載の受信装置。
【請求項４】
前記同定手段は、前記第１検波手段の検波結果と、前記第２検波手段の検波結果とをマージした結果に基づいて、受信対象となる送信装置を決定することを特徴とする請求項１に記載の受信装置。
【発明の詳細な説明】
【技術分野】
【０００１】
この発明は、OFDM(Orthogonal Frequency Division Multiplexing)方式を採用した、例えば携帯電話システムなどの無線通信システムに関する。
【背景技術】
【０００２】
現在、3GPP(3rd Generation Partnership Project)では、W-CDMA(Wideband Code Division Multiple Access)方式に続く、新しい無線アクセスおよび無線アクセスネットワークに関するLong Term Evolution(LTE)の検討が開始されている（例えば、非特許文献１参照）。この文献は、3GPPによりリリースされた技術文書であり、物理層に関する規格のフレームワークについて述べられたものである。
【０００３】
ここで述べられている同期プロセスは、移動局が、基地局から受信した信号に基づいて、基地局との間で時間および周波数の同期をとり、基地局の識別番号を検出するための手続きである。
【０００４】
またLTEシステムでは、複数の異なるシステム帯域をサポートする、Scalable Bandwidthが適用される。LTEシステムの同期プロセスにおいては、基地局のシステム帯域は、移動局にとって未知であり、移動局が基地局のシステム帯域を検出して、それぞれに応じた処理を行うには、複雑なサーチプロセスが必要になる。
【０００５】
これに対し、システム帯域のサーチプロセスを簡略化するため、いずれのシステム帯域を利用する基地局にも共通するシステム帯域に、同期用チャネル、システム情報を報知するチャネルを配置して、基地局から移動局に送信することが考えられている。これにより移動局は、基地局のシステム帯域を知らなくても、予め決められた共通のシステム帯域内に配置された同期用チャネル、システム情報報知チャネルを受信することにより、同期プロセスを遂行することができる。  
またこのような同期プロセスにおいて、必要とされる時間の短縮や、精度の改善が求められている。
【非特許文献１】3GPP, TR25.814(V7.1.0), "Physical Layer Aspects for Evolved UTRA", Section 7.1.2.4, "Cell search"。
【発明の開示】
【発明が解決しようとする課題】
【０００６】
従来、検討されている無線通信システムでは、同期プロセスの精度を改善し、それに必要とされる時間を短縮したいという要望があった。  
この発明は上記の要望に応えるべくなされたもので、同期プロセスの精度を改善し、それに必要とされる時間を短縮可能な無線通信システムを提供することを目的とする。
【課題を解決するための手段】
【０００７】
上記の目的を達成するために、この発明は、送信装置からOFDM方式を用いて無線伝送される情報を受信する受信装置において、送信装置から無線伝送に用いられる第１周波数帯域を示すシステム情報を受信する受信手段と、システム情報で示される第１周波数帯域のうち、予め設定された第２周波数帯域のサブキャリアに割り当てられたパイロット信号について、このサブキャリアに割り当てられた同期信号を用いたコヒーレント検波を行う第１検波手段と、システム情報で示される第１周波数帯域のうち、第２周波数帯域以外の周波数帯域のサブキャリアに割り当てられたパイロット信号について、ノンコヒーレント検波を行う第２検波手段と、第１検波手段の検波結果と、第２検波手段の検波結果とに基づいて、受信対象となる送信装置を決定する同定手段とを具備して構成するようにした。
【発明の効果】
【０００８】
以上述べたように、この発明では、システム情報として示される第１周波数帯域のうち、予め設定された第２周波数帯域のサブキャリアに割り当てられたパイロット信号については、同期信号を用いたコヒーレント検波を行い、一方、第２周波数帯域以外の第１周波数帯域のサブキャリアに割り当てられたパイロット信号については、ノンコヒーレント検波を行って、これらの検波結果に基づいて、受信対象となる送信装置を決定するようにしている。
【０００９】
したがって、この発明によれば、同期信号がサブキャアリアに割り当てられた第２周波数帯域だけでなく、それ以外の第１周波数帯域のパイロット信号も用いて、受信対象となる送信装置を決定するようにしているので、受信対象となる送信装置を決定する同期プロセスの精度を改善し、必要とされる時間を短縮可能な無線通信システムを提供できる。
【発明を実施するための最良の形態】
【００１０】
以下、図面を参照して、この発明の一実施形態について説明する。なお、以下の説明では、送信機を基地局とし、受信機を移動局として説明する。また、通信方式としてOFDM(Orthogonal Frequency Division Multiplexing)方式を採用し、移動局における同期プロセスが、図１に示すようなルーチンからなる場合を例に挙げて説明する。すなわち、上記同期プロセスは、処理Ａ、処理Ｂ、処理Ｃ、処理Ｄからなり、この順で実行されるものとする。
【００１１】
処理Ａにおいて移動局は、各サンプリングタイミングでのベースバンドディジタル信号と同期信号１に含まれる既知の同期コードとの相互相関を求めることによって、受信信号の時間系列から、時間フレーム境界、すなわちＧＩ（ガードインターバル）除去およびＦＦＴ演算を行うサンプリングデータ列を切り出すタイミングを検出する。フレーム同期の方法としては、これ以外にも、時間ドメインで繰り返し波形を持った同期コードを用いる方法が考えられ、この場合は自己相関によって時間フレーム境界を検出する。
【００１２】
処理Ｂ、処理Ｃにおいて移動局は、ベースバンドディジタル信号のサンプリングデータ列を処理Ａで求めた時間フレーム単位にＦＦＴをかけて周波数領域の信号、すなわちサブキャリア毎の信号に分割し、周波数領域上の情報により基地局ＩＤの同定を行う。一般にセルラシステムでは基地局ＩＤの同定時間を短縮するため、処理Ｂでは基地局ＩＤグループの同定までを行い、処理Ｃにより基地局ＩＤグループの中から基地局ＩＤを特定するというように、２段階にわけて基地局ＩＤ同定を行う。
【００１３】
この例では、処理Ｂでは同期信号２を使用し、処理Ｃではデータ信号のチャネル等価や、各基地局の受信信号測定にも用いるパイロット信号を使用することを前提としている。パイロット信号には、基地局間の干渉低減や、基地局ごとの受信電力測定を可能とするために、基地局固有のスクランブリングコードがかけられる。このため、処理Ｃでは、処理Ｂまでに特定した基地局ＩＤグループの各基地局のスクランブリングコード候補との相互相関演算により、基地局ＩＤ同定をする。
【００１４】
最後に、処理Ｄでは、システム情報報知チャネル（Ｐ−ＢＣＨ）を受信する。このときシステム情報報知チャネルのチャネル等価のために、パイロット信号を使用する。  
以上のように、通信を行うために必要な基本的なシステムパラメータを取得するまでの処理を同期プロセスと定義する。同期プロセスの１つの目的は、パイロット信号にかけられた基地局ＩＤ固有のスクランブリングコード系列を特定することにより、基地局ＩＤを特定することにある。
【００１５】
ところで、基地局が送信に用いるシステム帯域として、複数の帯域幅がサポートされるようなScalable Bandwidthsなセルラシステムでは、上述した同期プロセスを開始する時点では、移動局において上記システム帯域が不明である。このため、以下に説明する無線通信システムでは、同期信号は、すべての基地局に共通する同期用チャネル帯域にのみ配置する。
【００１６】
そして、この同期用チャネル帯域で処理Ａ、Ｂを行うことにより、移動局は基地局のシステム帯域を知らなくても安定した同期性能で同期プロセスを遂行することができ、同期サーチプロセスを簡略化することができる。これに対して、処理Ｃに使用するパイロット信号は同期以外の目的として、データ復調時の位相基準信号として使用するため、システム帯域全体に配置する。
【００１７】
このように、同期信号およびパイロット信号をサブキャリアに配置した例を図２に示す。この例では、同期信号は、同期用チャネル帯域のすべてのサブキャリアに配置し、パイロット信号はシステム帯域全体にわたって周波数方向に6サブキャリアに1サブキャリアの密度で周期的に配置している。
【００１８】
そして、この発明に関わる無線通信システムでは、処理Ｃを開始する前に、基地局が使用するシステム帯域を移動局に通知する。具体的には、処理Ａや処理Ｂで用いる同期信号を用いて上記システム帯域をシステム情報として移動局に通知したり、あるいは移動局が同期信号以外の信号を復調して、処理Ｃを開始する前に基地局から通知を受ける。
【００１９】
しかしながら、図２に示したように同期信号は基地局間で共通の同期用チャネル帯域にのみ配置されているため、処理Ｃを開始する前に、移動局が基地局のシステム帯域が共通のシステム帯域より広いことを認識していたとしても、処理Ｃのコヒーレント検出のための位相基準となる信号がない。
【００２０】
このため、システム帯域全体に配置されるパイロット信号を用いて処理Ｃを行うことができず、同期信号の配置されたシステム帯域幅のパイロット信号のみを用いて処理Ｃが行われることになる。
【００２１】
これに対して、この発明に関わる無線通信システムでは、同期用チャネル帯域に配置されたパイロット信号については、同期信号を用いたコヒーレント検出を適用して相互相関を求め、一方、それ以外のシステム帯域に配置されたパイロット信号については、ノンコヒーレント検出を適用して相互相関を求める。そして、これらの相互相関の電力値をマージして、そのうち最大の相互相関値を検出して基地局ＩＤを同定する。
【００２２】
図３に、基地局、すなわちOFDM送信機の構成例を示す。基地局は、変調部１１と、サブキャリア割当部１２と、IFFT(Inverse Fast Fourier Transform)部１３と、GI(Guard Interval)付加部１４と、無線送信部１５とを備える。  
変調部１１は、他の基地局との干渉低減や、移動局で基地局毎に受信電力を測定することを可能とするために、パイロット信号に、当該基地局に固有に割り当てられたスクランブリングコードを乗算する。
【００２３】
サブキャリア割当部１２は、システム情報報知信号と、変調部１１にて変調されたパイロット信号と、データ信号と、同期信号１，２が入力され、これらの信号を、図２に示したように、それぞれ所定のサブキャリアに割り当てる。なお、サブキャリア割当部１２は、同期用チャネル帯域の周波数を予め認識しており、またシステム情報報知信号には、当該基地局が送信に用いるシステム帯域や、送信アンテナ数などのシステム情報が含まれる。
【００２４】
IFFT部１３は、サブキャリア割当部１２の出力信号に対してOFDM変調を施して、複数のOFDMシンボルの系列であるOFDM信号を生成する。すなわち、IFFT部１３は、周波数領域の信号を時間領域の信号に変換することによってOFDM信号を生成する。  
GI付加部１４は、IFFT部１３にて生成したOFDM信号に、ガードインターバル（ＧＩ）を付加する。
【００２５】
無線送信部１５は、GI付加部１４の出力をディジタル／アナログ変換するディジタル／アナログ変換器と、このアナログ出力をＲＦ信号にアップコンバートするアップコンバータと、このＲＦ信号を電力増幅する電力増幅器とを備える。電力増幅器によって電力増幅されたＲＦ信号は、アンテナを通じて空間に放射される。
【００２６】
図４に、移動局、すなわちOFDM受信機の同期プロセスに関わる構成例を示す。移動局は、無線受信部２１と、第１同期部２２と、GI除去部２３と、FFT(Fast Fourier Transform)部２４と、信号分離部２５と、第２同期部２６と、基地局ＩＤ同定部２７と、システム情報受信部２８とを備える。なお、移動局は、同期用チャネル帯域の周波数を予め認識している。
【００２７】
無線受信部２１は、空間よりアンテナが受信したＲＦ信号から所望の帯域外の雑音を除去する帯域通過フィルタと、この帯域通過フィルタを通過したＲＦ信号をアナログ／ディジタル変換してベースバンドディジタル信号を得るＡ／Ｄ変換器とを備える。
【００２８】
第１同期部２２は、図１に示した処理Ａを実施するものであり、各サンプリングタイミングでのベースバンドディジタル信号と同期信号１に含まれる既知の同期コードとの相互相関を求めることによって、ベースバンドディジタル信号の時間系列から、時間フレーム境界、すなわちＧＩ除去およびＦＦＴ演算を行うサンプリングデータ列を切り出すタイミングを検出する。
【００２９】
このタイミングは、制御部２０に通知される。これにより、制御部２０は、ＧＩ除去およびＦＦＴ演算を行うサンプリングデータ列を切り出すタイミングや、サブキャリア上のどの位置（時間および周波数）に、どの信号が配置されているかを認識する。
【００３０】
なお、フレーム同期の方法としては、これ以外にも、時間ドメインで繰り返し波形を持った同期コードを用いる方法が考えられ、この場合は自己相関によって時間フレーム境界を検出する。
【００３１】
GI除去部２３、FFT部２４、信号分離部２５および第２同期部２６は、図１に示した処理Ｂを実施するものである。  
GI除去部２３は、制御部２０から、第１同期部２２が検出したタイミングが通知され、このタイミングでベースバンドディジタル信号からガードインターバルを除去する。
【００３２】
FFT部２４は、制御部２０から、第１同期部２２が検出したタイミングが通知され、このタイミングでベースバンドディジタル信号にFFT演算を行い、ベースバンドディジタル信号を時間領域の信号から周波数領域の信号に変換する。これにより、ベースバンドディジタル信号がサブキャリア毎の信号に分割される。
【００３３】
信号分離部２５は、制御部２０からの指示にしたがって、FFT部２４により得られたサブキャリア毎の信号を、システム情報報知信号、パイロット信号、データ信号、同期信号２などに分離する。このうち、システム情報報知信号は、システム情報受信部２８に入力され、パイロット信号は、基地局ＩＤ同定部２７に入力され、同期信号２は、第２同期部２６および基地局ＩＤ同定部２７に入力される。
【００３４】
第２同期部２６は、同期信号２から基地局ＩＤグループの同定を行う。このようにして同定された基地局ＩＤグループの識別情報は、制御部２０に通知される。これに対して制御部２０は、予め、基地局毎に固有に割り当てられたスクランブリングコードを基地局ＩＤグループ毎に記憶しており、第２同期部２６から通知された基地局ＩＤグループに属する基地局に固有に割り当てられたスクランブリングコードq1(f), q2(f), q3(f)…（f=0,1,…,N：パイロットサブキャリアの総数）を基地局ＩＤ同定部２７に通知する。
【００３５】
基地局ＩＤ同定部２７は、図１に示した処理Ｃを実施して基地局ＩＤを特定するためのスクランブリングコードを検出するものであり、コヒーレント検出部２７１と、ノンコヒーレント検出部２７２と、相関電力マージ部２７３と、検出部２７４とを備える。
【００３６】
コヒーレント検出部２７１には、図２に示したパイロット信号のうち、複数の基地局間で共通する同期用チャネル帯域のパイロット信号が入力される。そして、コヒーレント検出部２７１は、上記パイロット信号と、制御部２０から通知される複数のスクランブリングコードq1(f), q2(f), q3(f)…との相互相関演算をそれぞれ行い、相互相関値を求める。
【００３７】
より詳細に説明するために、同期用チャネル帯域に配置されるサブキャリア周波数をf=0,1,..,Nとし、同期信号２をs(f)、パイロット信号をp(f)、伝送路推定値をh(f)とする。ここで、s(f)系列は、移動局においても既知であることより、移動局で受信される同期信号s(f)h(f)からh(f) (f=0,1,..,N)を求めることができる。
【００３８】
したがって、コヒーレント検出部２７１は、同期信号s(f)を位相基準として、パイロット信号p(f) (f=0,1,..,N)と、制御部２０から通知されるスクランブリングコードq1(f), q2(f), q3(f)…とのコヒーレント積分により相互相関値を求める。このコヒーレント積分を下式（１）に示す。
【数１】
2008236382.tif 000003
【００３９】
ノンコヒーレント検出部２７２には、図２に示したパイロット信号のうち、上記同期用チャネル帯域以外のシステム帯域のパイロット信号が入力される。そして、ノンコヒーレント検出部２７２は、位相基準信号を用いず上記パイロット信号の近接する二つのパイロットサブキャリア間の差分ベクトルと、制御部２０から通知される複数のスクランブリングコードq1(f), q2(f), q3(f)…の対応する２パイロットサブキャリア間の差分ベクトルとの相互相関演算をそれぞれ行い、相互相関値を求める。
【００４０】
より詳細に説明するために、同期用チャネル帯域以外のシステム帯域に配置されるサブキャリア周波数をf=N+1,N+2,..,Mとし、パイロット信号をp(f)、伝送路推定値をh(f)とする。  
ここで、近接するサブキャリア周波数f、f+1で、それぞれ移動局により受信されるパイロット信号r(f)、r(f+1)は、それぞれ以下のように示すことができる。
【数２】
2008236382.tif 000004
【００４１】
近接するサブキャリアでは、チャネル変動が無視できると仮定し、h(f)=h(f+1)とみなす。これにより、ノンコヒーレント検出部２７２は、サブキャリア間のベクトル差を用いて、上記パイロット信号と、制御部２０から通知される複数のスクランブリングコードq1(f), q2(f), q3(f)…との近接するサブキャリア間の差分ベクトル同士の相互相関演算をそれぞれ行い、これをノンコヒーレント積分にして相互相関値を求める。このノンコヒーレント積分を下式（２）に示す。
【数３】
2008236382.tif 000005
【００４２】
相関電力マージ部２７３は、コヒーレント検出部２７１にて求めた相互相関値と、ノンコヒーレント検出部２７２にて求めた相互相関値とをマージ（merge）し、この結果から検出部２７４は、最大の相互相関値が得られるスクランブリングコードqn(F)を検出し、これを制御部２０に通知する。相関電力マージ部２７３および検出部２７４による演算を下式（３）に示す。
【数４】
2008236382.tif 000006
【００４３】
これにより、制御部２０は、受信すべき基地局が、スクランブリングコードqn(F)に対応する基地局であることを認識して、基地局ＩＤを特定し、以後、制御部２０は、スクランブリングコードqn(F)を用いてパイロット信号を受信するように、各部を制御する。
【００４４】
システム情報受信部２８は、信号分離部２５から入力されるシステム情報報知信号を、制御部２０から通知されるスクランブリングコードqn(F)をパイロット信号に適用することにより生成した位相基準信号を用いて同期検波して、システム情報を得る。
【００４５】
以上のように、上記構成の無線通信システムでは、移動局が、処理Ｃによる基地局ＩＤの同定処理を開始する前に、基地局から利用されるシステム帯域を示す情報を取得し、処理Ｃでは、図５に示すように、同期用チャネル帯域については、同期信号を位相基準として候補となるスクランブリングコードとパイロット信号とのコヒーレント積分により相互相関値を求め、一方、同期用チャネル帯域以外のシステム帯域については、近接するパイロットサブキャリア間の差分ベクトルを用いて、スクランブリングコードとパイロット信号とのノンコヒーレント積分により相互相関値を求める。そして、これらの相互相関値をマージして、最大の相互相関値が得られるスクランブリングコードを検出して、基地局ＩＤを特定するようにしている。
【００４６】
したがって、上記構成の無線通信システムによれば、同期用チャネル帯域以外で利用されるシステム帯域のパイロット信号も用いて相互相関値を求めるようにしているので、基地局ＩＤを特定する精度を向上する。また高い精度で基地局ＩＤを特定できるので、処理Ｃに要していた処理時間を短縮することができる。
【００４７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４８】
その一例として例えば、上記実施の形態では、ノンコヒーレント検出部２７２は、図５に示したように、近接するパイロットサブキャリア間の差分ベクトルを用いて、上記パイロット信号と、制御部２０から通知される複数のスクランブリングコードとの相互相関演算をそれぞれ行い、これをノンコヒーレント積分にして相互相関値を求めるようにしている。
【００４９】
これに代わり例えば、ノンコヒーレント検出部２７２は、図６に示したように、周波数方向に隣接するサブキャリアをグループ化して、グループ毎にパイロット信号をコヒーレント加算し、この加算結果と制御部２０から通知される複数のスクランブリングコードとの相互相関演算をそれぞれ行い、結果をマージして相互相関値を求めるようにしてもよい。ここで、グループごとのコヒーレント加算とは、対象とするセルラシステムの通信路においてチャネル変動がないとみなすことのできる周波数帯域幅毎にチャネル変動を考慮せずに、スクランブリングコード候補とのベクトル差を積分する処理を意味する。
【００５０】
また上記実施の形態では、同期用チャネル帯域以外のシステム帯域には、同期信号が配置されない場合を例示したが、同期信号が一部に配置されている場合にも適用できる。  
その他、この発明の要旨を逸脱しない範囲で種々の変形を施しても同様に実施可能であることはいうまでもない。
【図面の簡単な説明】
【００５１】
【図１】この発明に係わる無線通信システムの同期プロセスを説明するための図。
【図２】この発明に係わる無線通信システムで用いられる無線信号のサブキャリア上の信号配置を説明するための図。
【図３】この発明に係わる無線通信システムの送信機の構成を示す回路ブロック図。
【図４】この発明に係わる無線通信システムの受信機の構成を示す回路ブロック図。
【図５】図４に示した受信機の基地局ＩＤ同定部の動作を説明するための図。
【図６】図４に示した受信機の基地局ＩＤ同定部の動作を説明するための図。
【符号の説明】
【００５２】
１１…変調部、１２…サブキャリア割当部、１３…ＩＦＦＴ部、１４…ＧＩ付加部、１５…無線送信部、２０…制御部、２１…無線受信部、２２…第１同期部、２３…ＧＩ除去部、２４…ＦＦＴ部、２５…信号分離部、２６…第２同期部、２７…基地局ＩＤ同定部、２７１…コヒーレント検出部、２７２…ノンコヒーレント検出部、２７３…相関電力マージ部、２７４…検出部、２８…システム情報受信部。
【図１】
2008236382.tif 000007
【図２】
2008236382.tif 000008
【図３】
2008236382.tif 000009
【図４】
2008236382.tif 000010
【図５】
2008236382.tif 000011
【図６】
2008236382.tif 000012